(57)【要約】【課題】洗浄時の静音性に優れた便器設備を提供する。必要なときだけ便蓋を通して便鉢内を視認することができる便器設備を提供する。【解決手段】フラッシュスイッチ１１が操作されると、人体が便座３に着座しているか判断し、着座している場合には洗浄弁装置７を所定時間だけ開として鉢洗浄を行う。着座が検知されない場合には、便蓋４が閉じているときには調光体１３の透明化及び鉢洗浄を行い、その後調光体１３を不透明化する。便蓋４が開いているときには、便蓋４を閉じてから、調光体１３の透明化及び鉢洗浄を行い、その後調光体１３を不透明化する。【選択図】図３
2008200198.tif 000002
【特許請求の範囲】
【請求項１】
便鉢を有した便器本体と、
該便器本体に開閉可能に設置された便蓋及び便座と、
該便蓋を開閉駆動する駆動装置と、
該便座への着座の有無を検知する着座検知手段と、
該便鉢に洗浄水を供給する洗浄装置と、
前記駆動装置及び該洗浄装置を制御する制御手段と
を有する便器設備において、
該制御手段は、前記着座検知手段が着座不検知の場合に洗浄装置を洗浄動作させるときには、それに先行して便蓋を閉とするように前記駆動装置を動作させるものであることを特徴とする便器設備。
【請求項２】
請求項１において、前記制御手段は、前記着座検知手段が着座不検知となってから所定時間が経過すると、前記駆動装置を便蓋閉動作させ、次いで前記洗浄装置を洗浄動作させるものであることを特徴とする便器設備。
【請求項３】
請求項１において、前記便器設備は、便器洗浄を開始させるための洗浄スイッチを備えており、
前記制御手段は、該洗浄スイッチが操作されたときに、前記着座検知手段が着座不検知であり且つ前記便蓋が開となっている場合に、前記駆動装置を便蓋閉動作させ、次いで前記洗浄装置を洗浄動作させるものであることを特徴とする便器設備。
【請求項４】
便鉢を有した便器本体と、
該便器本体に開閉可能に設置された便蓋及び便座と、
該便蓋を開閉駆動する駆動装置と、
該便器本体近傍の人体を検知する人体検知手段と、
該便鉢に洗浄水を供給する洗浄装置と、
前記駆動装置及び該洗浄装置を制御する制御手段と
を有する便器設備において、
該制御手段は、前記人体検知手段が人体不検知となったときに、便蓋が開であり、且つ該人体検知手段が人体検知となってから人体不検知となる間に該洗浄装置が洗浄動作していない場合には、便蓋を閉とし、次いで該洗浄装置を洗浄動作させるものであることを特徴とする便器設備。
【請求項５】
便鉢を有した便器本体と、
該便器本体に開閉可能に設置された便蓋及び便座と、
該便蓋を開閉駆動する駆動装置と、
該便器本体近傍の人体を検知する人体検知手段と、
該便鉢に洗浄水を供給する洗浄装置と、
前記駆動装置及び該洗浄装置を制御する制御手段と
を有する便器設備において、
該制御手段は、前記人体検知手段が人体不検知となったときに、便蓋が開であり、且つ該人体検知手段が人体不検知となる直前の所定時間の間に該洗浄装置が洗浄動作していない場合には、便蓋を閉とし、次いで該洗浄装置を洗浄動作させるものであることを特徴とする便器設備。
【請求項６】
請求項１ないし５のいずれか１項において、便蓋の少なくとも便鉢に臨む箇所を透明としたことを特徴とする便器設備。
【請求項７】
請求項１ないし５のいずれか１項において、便蓋の少なくとも便鉢に臨む箇所を、透明と不透明とが切り替え可能な調光体にて構成し、この調光体の透明と不透明とを切り替える手段を設けたことを特徴とする便器設備。
【請求項８】
請求項１ないし５のいずれか１項において、便蓋の少なくとも便鉢に臨む箇所が、前記制御手段によって透明と不透明とが切り替えられる調光体にて構成されており、
前記制御手段は、少なくとも前記洗浄装置の洗浄動作中は該調光体を透明とするものであることを特徴とする便器設備。
【請求項９】
便鉢を備えた便器本体と、該便器本体に設けられた便蓋とを有する便器設備において、
該便蓋の該便鉢に臨む箇所の少なくとも一部を、透明と不透明とが切り替え可能な調光体にて構成し、
該調光体の透明と不透明とを切り替える手段を設けたことを特徴とする便器設備。
【発明の詳細な説明】
【技術分野】
【０００１】
本発明は、便器本体及び便蓋を備えた便器設備に関するものである。
【背景技術】
【０００２】
Ｉ．人体検知センサーによってトイレルームへの入室、退室を検知し、これに応じて便蓋を自動的に開閉させるようにした便器設備は、既に広く用いられている。
【０００３】
特許第３６３２５２５号には、人体検知センサによって人体が便器から離れたことが検知されると自動的に便蓋を閉じたり便器洗浄することが記載されている（同号公報００１６段落）。
【０００４】
II．特開２００１−２１２０２７号には、便蓋の少なくとも一部を透明とし、鉢内の洗浄状況を視認できるようにすることが記載されている。
【特許文献１】特許第３６３２５２５号
【特許文献２】特開２００１−２１２０２７号
【発明の開示】
【発明が解決しようとする課題】
【０００５】
Ｉ．便器洗浄するときに便蓋が開いていると、大きな洗浄音が便器周囲に広がることになる。本発明は、洗浄時の静音性に優れた便器設備を提供することを第１の目的とする。
【０００６】
II．便蓋が常に透明であると、便鉢内が常に見えることになり、美観が損なわれることがある。
【０００７】
本発明は、必要なときだけ便蓋を通して便鉢内を視認することができる便器設備を提供することを第２の目的とする。
【課題を解決するための手段】
【０００８】
請求項１の便器設備は、便鉢を有した便器本体と、該便器本体に開閉可能に設置された便蓋及び便座と、該便蓋を開閉駆動する駆動装置と、該便座への着座の有無を検知する着座検知手段と、該便鉢に洗浄水を供給する洗浄装置と、前記駆動装置及び該洗浄装置を制御する制御手段とを有する便器設備において、該制御手段は、前記着座検知手段が着座不検知の場合に洗浄装置を洗浄動作させるときには、それに先行して便蓋を閉とするように前記駆動装置を動作させるものであることを特徴とするものである。
【０００９】
請求項２の便器設備は、請求項１において、前記制御手段は、前記着座検知手段が着座不検知となってから所定時間が経過すると、前記駆動装置を便蓋閉動作させ、次いで前記洗浄装置を洗浄動作させるものであることを特徴とするものである。
【００１０】
請求項３の便器設備は、請求項１において、前記便器設備は、便器洗浄を開始させるための洗浄スイッチを備えており、前記制御手段は、該洗浄スイッチが操作されたときに、前記着座検知手段が着座不検知であり且つ前記便蓋が開となっている場合に、前記駆動装置を便蓋閉動作させ、次いで前記洗浄装置を洗浄動作させるものであることを特徴とするものである。
【００１１】
請求項４の便器設備は、便鉢を有した便器本体と、該便器本体に開閉可能に設置された便蓋及び便座と、該便蓋を開閉駆動する駆動装置と、該便器本体近傍の人体を検知する人体検知手段と、該便鉢に洗浄水を供給する洗浄装置と、前記駆動装置及び該洗浄装置を制御する制御手段とを有する便器設備において、該制御手段は、前記人体検知手段が人体不検知となったときに、便蓋が開であり、且つ該人体検知手段が人体検知となってから人体不検知となる間に該洗浄装置が洗浄動作していない場合には、便蓋を閉とし、次いで該洗浄装置を洗浄動作させるものであることを特徴とするものである。
【００１２】
請求項５の便器設備は、便鉢を有した便器本体と、該便器本体に開閉可能に設置された便蓋及び便座と、該便蓋を開閉駆動する駆動装置と、該便器本体近傍の人体を検知する人体検知手段と、該便鉢に洗浄水を供給する洗浄装置と、前記駆動装置及び該洗浄装置を制御する制御手段とを有する便器設備において、該制御手段は、前記人体検知手段が人体不検知となったときに、便蓋が開であり、且つ該人体検知手段が人体不検知となる直前の所定時間の間に該洗浄装置が洗浄動作していない場合には、便蓋を閉とし、次いで該洗浄装置を洗浄動作させるものであることを特徴とするものである。
【００１３】
請求項６の便器設備は、請求項１ないし５のいずれか１項において、便蓋の少なくとも便鉢に臨む箇所を透明としたことを特徴とするものである。
【００１４】
請求項７の便器設備は、請求項１ないし５のいずれか１項において、便蓋の少なくとも便鉢に臨む箇所を、透明と不透明とが切り替え可能な調光体にて構成し、この調光体の透明と不透明とを切り替える手段を設けたことを特徴とするものである。
【００１５】
請求項８の便器設備は、請求項１ないし５のいずれか１項において、便蓋の少なくとも便鉢に臨む箇所が、前記制御手段によって透明と不透明とが切り替えられる調光体にて構成されており、前記制御手段は、少なくとも前記洗浄装置の洗浄動作中は該調光体を透明とするものであることを特徴とするものである。
【００１６】
請求項９の便器設備は、便鉢を備えた便器本体と、該便器本体に設けられた便蓋とを有する便器設備において、該便蓋の該便鉢に臨む箇所の少なくとも一部を、透明と不透明とが切り替え可能な調光体にて構成し、該調光体の透明と不透明とを切り替える手段を設けたことを特徴とするものである。
【発明の効果】
【００１７】
請求項１〜７の便器設備にあっては、便器洗浄するのに先行して便蓋を閉じるので、洗浄時の騒音が便鉢内に閉じ込められるようになり、洗浄時の静音性が向上する。
【００１８】
請求項２の便器設備にあっては、便器使用者が立ち去ると、自動的に便蓋が閉まり、次いで便器洗浄が行われる。
【００１９】
請求項３の便器設備にあっては、便座に着座していない状態で洗浄スイッチを操作した場合、自動的に便蓋が閉まり、次いで便器洗浄が行われる。
【００２０】
請求項４の便器設備にあっては、便器使用者が立ち去った場合において、便蓋が開いており且つ便器洗浄が使用者存在期間を通して行われていないときには、自動的に便蓋が閉まり、次いで便器洗浄が行われる。
【００２１】
請求項５の便器設備にあっては、便器使用者が立ち去った場合において、便蓋が開いており且つ便器洗浄が立ち去り直前に行われていないときには、自動的に便蓋が閉まり、次いで便器洗浄が行われる。
【００２２】
請求項６〜９の便器設備にあっては、便蓋を通して便鉢の洗浄状況を視認することができる。
【００２３】
請求項７，９の便器設備にあっては、洗浄状況を視認することを望まない使用者の場合、調光体を不透明としておくことができる。これにより、美観向上を図ることができる。
【００２４】
請求項８の便器設備にあっては、洗浄動作以外のときに調光体を不透明としておくことにより、美観向上を図ることができる。
【発明を実施するための最良の形態】
【００２５】
以下、図面を参照して実施の形態について説明する。第１図は実施の形態に係る便器設備の斜視図、第２図はその制御ブロック図、第３図はその制御フローチャートである。
【００２６】
便鉢１ａを有した便器本体１の後部上面に便座ボックス２が設置されている。この便座ボックス２には、便器本体１の側方へ張り出す張出部２ａが設けられている。便座ボックス２に便座３と便蓋４が起倒回動可能に取り付けられている。便座ボックス２内には、この便座３及び便蓋４を起立及び倒伏回動させるためのモータ及びギヤよりなる開閉駆動装置５が設けられている。また便座ボックス２には、便座３への着座を検知するための着座センサ６が設けられている。この着座センサ６としては、静電容量センサや便座支軸の上下を検知するリミットスイッチなど各種のものを用いることができる。便座ボックス２内には、便鉢１ａに洗浄水を供給して鉢洗浄するための洗浄弁装置７（第２図）が設けられている。
【００２７】
便座ボックス張出部２ａには、便器本体１近傍の人体を検知するための人体検知センサ１０が設けられると共に、洗浄弁装置７を作動させるためのフラッシュスイッチ１１のほか、制御回路１２を搭載した回路基板が設けられている。第２図の通り、上記センサ６，１０、フラッシュスイッチ１１の信号が制御回路１２に入力され、この制御回路１２によって開閉駆動装置５、洗浄弁装置７、調光体１３が制御される。
【００２８】
図示は省略するが、この便器設備には、人体臀部の温水洗浄装置や温風ファン、便座ヒータなどが設けられている。
【００２９】
便蓋４のうち、便座３の内周よりも内側領域に重なる部分に調光体１３が設けられている。この調光体１３は、液晶層を透明電極で挟んだ液晶装置を透明樹脂板に積層した構造を有する。この電極間に電圧を印加すると調光体１３は透明となり、電圧印加を解除すると不透明となる。
【００３０】
次に、この便器設備の便蓋回動動作及びフラッシュ（便鉢洗浄）動作について第３図を参照して説明する。
【００３１】
フラッシュスイッチ１１が操作されると、ステップ２１からステップ２２に進み、人体が便座３に着座しているか判断し、着座している場合にはステップ２８に進み、洗浄弁装置７を所定時間だけ開として鉢洗浄を行う。鉢洗浄終了後、ステップ２１に戻る。
【００３２】
前記ステップ２２において、着座が検知されない場合には、ステップ２３に進み、便蓋４が閉じているときにはステップ２５，２６に進み、調光体１３の透明化及び鉢洗浄を行い、その後ステップ２７にて調光体１３を不透明化してステップ２１に戻る。
【００３３】
ステップ２３において便蓋４が開いてるときには、ステップ２４〜２７に進み、便蓋４を閉じてから、前記と同様に調光体１３の透明化及び鉢洗浄を行い、その後調光体１３を不透明化してステップ２１に戻る。
【００３４】
このように、この実施の形態では、人体が着座していないときにフラッシュスイッチ１１を操作すると、便蓋４を閉じてから鉢洗浄を行うので、洗浄騒音が周囲に広がらない。
【００３５】
また、鉢洗浄中に調光体１３を透明化するので、洗浄状況を視認することができる。また、鉢洗浄時以外では調光体１３を不透明化しているので、鉢内が見えず、美観が良い。
【００３６】
なお、調光体１３の透明、不透明を切り替えるためのスイッチを設け、使用者が希望するときだけ調光体１３を透明化させることができるよう構成してもよい。
【００３７】
調光体１３の代わりに透明板を用い、常時便鉢１ａ内を視認できるようにしてもよい。調光体１３や透明板は省略されてもよい。
【００３８】
なお、便蓋４を閉めるときに、便座３が開いている場合には、便座３も併せて倒伏回動させる。
【００３９】
第４図を参照して別の洗浄制御例について説明する。
【００４０】
ステップ３１において着座が検知されると、ステップ３２に進み、着座不検知となるまで待機する。着座不検知となったときには、ステップ３３に進み、着座時間が所定時間ｔ０よりも短いときには便器不使用とみなしてステップ３１へ戻る。着座時間がｔ０以上であるときには、便器使用ありとみなし、ステップ３４に進み、しばらく待機する（ステップ３４，３５）。
【００４１】
この間にフラッシュスイッチ１１が操作されたときには、ステップ３５からステップ３６に進み、便蓋４が開いているときには便蓋４を閉じてから（ステップ３７）、また便蓋４が閉じているときには直ちに鉢洗浄を行う（ステップ３８）。その後、ステップ３１に戻る。このように便蓋４を閉めた状態で鉢洗浄を行うので、静音性が良い。
【００４２】
第４図では調光体の制御を省略しているが、前記実施の形態と同様に行ってもよく、また調光体を省略したり、透明板を設けたりしてもよい。
【００４３】
第４図では着座センサ６の検知信号に基づいて制御を行っているが、人体検知センサ１０の検知信号に基づいて制御を行ってもよい。その制御例を第５図に示す。第５図では、人体検知センサ１０が人体を検知した場合、ステップ３１ａからステップ３２ａに進み、その後人体が検知されなくなると、ステップ３２ａからステップ３３ａに進み、検知時間が所定時間ｔ１以上か否か判定する。検知時間がｔ１よりも短いときには、便器不使用とみなし、ステップ３１ａに戻る。検知時間がｔ１以上であるときには、便器使用ありとみなし、ステップ３４ａに進み、所定時間待機する。
【００４４】
所定時間経過後、ステップ３５ａに進み、人体が検知されなくなったとき（立ち去り時）の直前、例えば立ち去り前１分以内好ましくは立ち去り前３０秒以内にフラッシュスイッチ１１が操作されたか否かチェックし、この間に操作されていれば、便器洗浄済みとみなし、ステップ３１ａに戻る。フラッシュスイッチ１１が操作されてないときには、ステップ３６に進み、便蓋４が開いているときには便蓋４を閉じてから（ステップ３７）、また便蓋４が閉じているときには直ちに鉢洗浄を行う（ステップ３８）。その後、ステップ３１ａに戻る。
【００４５】
なお、この第５図において、立ち去り前にフラッシュスイッチ１１が操作されたときには、第５図のステップ３１〜３４，３６の動作を実行し、便蓋４の閉状態での鉢洗浄を行うようにしてもよい。
【００４６】
この第５図では、立去直前時にフラッシュスイッチ１１が操作されていれば自動洗浄は行わないようにしているが、人体検知から人体不検知となる間にフラッシュスイッチ１１が操作されていれば、自動洗浄を行わないようにしてもよい。
【００４７】
上記実施の形態は本発明の一例であり、本発明は上記以外の形態をもとりうる。
【図面の簡単な説明】
【００４８】
【図１】実施の形態に係る便器設備の斜視図である。
【図２】実施の形態に係る便器設備の制御ブロック図である。
【図３】実施の形態に係る便器設備の制御フローチャートである。
【図４】別の洗浄例を示すフローチャートである。
【図５】さらに別の洗浄例を示すフローチャートである。
【符号の説明】
【００４９】
１  便器本体
２  便座ボックス
３  便座
４  便蓋
５  開閉駆動装置
６  着座センサ
１０  人体検知センサ
１１  フラッシュスイッチ
【図１】
2008200198.tif 000003
【図２】
2008200198.tif 000004
【図３】
2008200198.tif 000005
【図４】
2008200198.tif 000006
【図５】
2008200198.tif 000007